【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
ハプティック効果を表すデータを含むビットストリームを送信する方法であって、
前記ビットストリーム内に、空間の起点の位置を表す第１の記述子を符号化することと、
前記ビットストリーム内に、前記空間に関して、ハプティック特性が関連付けられている仮想オブジェクトの位置を表す第２の記述子を符号化することと、
前記ビットストリームを送信することと、
を含む、前記方法。
【請求項２】
前記ビットストリーム内に、前記空間に関して、ハプティック装置の位置を表す第３の記述子を符号化することをさらに含む、請求項１に記載の方法。
【請求項３】
ハプティック効果を表す情報を復号する方法であって、
ビットストリームを受信することと、
前記ビットストリームから空間の起点の作成を表す第１の記述子を復号することと、
前記ビットストリームから、前記空間に関して、ハプティック特性が関連付けられている仮想オブジェクトの位置を表す第２の記述子を復号することと、
を含む、前記方法。
【請求項４】
前記ビットストリームから、前記空間に関して、ハプティック装置の位置を表す第３の記述子を復号することをさらに含む、請求項３に記載の方法。
【請求項５】
前記第２の記述子は、前記仮想オブジェクトが位置するユーザの身体の部分を示す、請求項１〜４のいずれか１項に記載の方法。
【請求項６】
前記第３の記述子は、前記ハプティック装置が位置するユーザの身体の部分を示す、請求項２または４に記載の方法。
【請求項７】
前記第１の記述子は、第１の座標に対応し、前記第２の記述子は、第２の座標に対応する、請求項１または３に記載の方法。
【請求項８】
所定の時点でのユーザの身体の少なくとも一部の位置を表す第４の記述子をさらに含む、請求項１または２に記載の方法。
【請求項９】
所定の時点でのユーザの身体の少なくとも一部の位置を表す第４の記述子をさらに含む、請求項３または４に記載の方法。
【請求項１０】
前記起点は、ユーザの身体の一部に関連付けられる、請求項１〜９のいずれか１項に記載の方法。
【請求項１１】
ハプティック効果を表すデータを含むビットストリームを送信するように構成された装置であって、
前記ビットストリーム内に、空間の起点の位置を表す第１の記述子を符号化し、
前記ビットストリーム内に、前記空間に関して、ハプティック特性が関連付けられている仮想オブジェクトの位置を表す第２の記述子を符号化するように構成された符号化器と、
前記ビットストリームを送信する送信機と、
を含む、前記装置。
【請求項１２】
ハプティック効果を表す情報を復号するように構成された装置であって、
ビットストリームを受信する受信機と、
前記ビットストリームから、空間の起点の位置を表す第１の記述子を復号し、
前記ビットストリームから、前記空間に関して、ハプティック特性が関連付けられている仮想オブジェクトの位置を表す第２の記述子を復号するように構成された復号器と、
を含む、前記装置。
【請求項１３】
ハプティック効果を表すデータを含む少なくともパケットを搬送する信号であって、
前記信号は、空間の起点の位置を表す第１の記述子と、
前記空間に関して、ハプティック特性が関連付けられている仮想オブジェクトの位置を表す第２の記述子と、をさらに搬送する、前記信号。
【請求項１４】
プロセッサに少なくとも請求項１に記載の方法を実行させる命令を記憶した非一時的プロセッサ読み取り可能媒体。
【請求項１５】
プロセッサに少なくとも請求項３に記載の復号する方法を実行させる命令を記憶した非一時的プロセッサ読み取り可能媒体。
【手続補正２】
【補正対象書類名】明細書
【補正対象項目名】００９３
【補正方法】変更
【補正の内容】
【００９３】
当業者であれば理解できるであろうが、実施態様は、例えば、記憶または送信される情報を搬送するようにフォーマットされた様々な信号を生成する。情報は、例えば、方法を実行する命令、または記載された実施態様のうちの１つによって生成されたデータを含むことがある。例えば、信号は、記載した実施形態のビットストリームを搬送するようにフォーマットされることがある。このような信号は、例えば、（例えば、スペクトラムの無線周波数部分を使用した）電磁波としてフォーマットすることができ、または、ベースバンド信号としてフォーマットすることができる。フォーマット化には、例えば、データ・ストリームを符号化することおよび符号化されたデータストリームを用いてキャリアを変調することが含まれることがある。信号が搬送する情報は、例えば、アナログ情報またはディジタル情報とすることができる。信号は、公知である様々な有線リンクまたは無線リンクを介して送信することができる。信号は、プロセッサ読み取り可能媒体上に記憶することができる。
上述の実施形態の一部又は全部は、以下の付記のように記載され得るが、以下には限定されない。
（付記１）
ハプティック効果を表すデータを含むビットストリームを送信する方法であって、
ビットストリーム内に、空間の起点の位置を表す第１の記述子を符号化するステップと、
ビットストリーム内に、空間に関して、ハプティック特性が関連付けられている仮想オブジェクトの位置を表す第２の記述子を符号化するステップと、
ビットストリームを送信するステップと、
を含む、方法。
（付記２）
ビットストリーム内に、空間に関して、ハプティック装置の位置を表す第３の記述子を符号化するステップをさらに含む、付記１に記載の方法。
（付記３）
ハプティック効果を表す情報を復号する方法であって、
ビットストリームを受信するステップと、
ビットストリームから空間の起点の作成を表す第１の記述子を復号するステップと、
ビットストリームから、空間に関して、ハプティック特性が関連付けられている仮想オブジェクトの位置を表す第２の記述子を復号するステップと、
を含む、方法。
（付記４）
ビットストリームから、空間に関して、ハプティック装置の位置を表す第３の記述子を復号するステップをさらに含む、付記３に記載の方法。
（付記５）
第２の記述子は、仮想オブジェクトが位置するユーザの身体の部分を示す、付記１〜４のいずれか１項に記載の方法。
（付記６）
第３の記述子は、ハプティック装置が位置するユーザの身体の部分を示す、付記２または４に記載の方法。
（付記７）
第１の記述子は、第１の座標に対応し、第２の記述子は、第２の座標に対応する、付記１または３に記載の方法。
（付記８）
所定の時点でのユーザの身体の少なくとも一部の位置を表す第４の記述子をさらに含む、付記１または２に記載の方法。
（付記９）
所定の時点でのユーザの身体の少なくとも一部の位置を表す第４の記述子をさらに含む、付記３または４に記載の方法。
（付記１０）
起点は、ユーザの身体の一部に関連付けられる、付記１〜９のいずれか１項に記載の方法。
（付記１１）
ハプティック効果を表すデータを含むビットストリームを送信するように構成された装置であって、
ビットストリーム内に、空間の起点の位置を表す第１の記述子を符号化し、
ビットストリーム内に、空間に関して、ハプティック特性が関連付けられている仮想オブジェクトの位置を表す第２の記述子を符号化するように構成された符号化器と、
ビットストリームを送信する送信機と、
を含む、前記装置。
（付記１２）
ハプティック効果を表す情報を復号するように構成された装置であって、
ビットストリームを受信する受信機と、
ビットストリームから、空間の起点の位置を表す第１の記述子を復号し、
ビットストリームから、空間に関して、ハプティック特性が関連付けられている仮想オブジェクトの位置を表す第２の記述子を復号するように構成された復号器と、
を含む、装置。
（付記１３）
ハプティック効果を表すデータを含む少なくともパケットを搬送する信号であって、
信号は、空間の起点の位置を表す第１の記述子と、
空間に関して、ハプティック特性が関連付けられている仮想オブジェクトの位置を表す第２の記述子と、をさらに搬送する、前記信号。
（付記１４）
プロセッサに少なくとも付記１に記載の方法のステップを実行させる命令を記憶した非一時的プロセッサ読み取り可能媒体。
（付記１５）
プロセッサに少なくとも付記３に記載の復号する方法のステップを実行させる命令を記憶した非一時的プロセッサ読み取り可能媒体。